(57)【特許請求の範囲】
【請求項１】
ペットボトル本体の側面に凹部を形成し、この凹部の底部又は縁部に弾性係止片を設け、この係止片は下方に向かって延びているとともに前記凹部内に収容されており、前記弾性係止片の根幹部に外側に突出した断面Ｕ字状の湾曲部を形成したペットボトル用掛け具において、前記断面Ｕ字状の湾曲部は前記弾性係止片の根元から離れた位置に形成されていることを特徴とするペットボトル用掛け具。
【発明の詳細な説明】
【技術分野】
【０００１】
本発明はペットボトル用掛け具に関するものであり、特に、飲料水を詰めたペットボトルをその携帯者が腰ベルト，カバン等の掛け止め対象物に掛け止めする場合に使用されるものである。
【背景技術】
【０００２】
従来におけるこの種のペットボトルは、ペットボトル本体の側面に、下方に向かって延びる弾性係止片を設けたものであり、携帯者は、この係止片を腰のベルト等に掛け止めすることによって、両手を自由に開放したり、また、熱くてもちにくい場合の携帯を可能にした。
【０００３】
【特許文献１】特開２００７−１１８９８６
【発明の開示】
【発明が解決しようとする課題】
【０００４】
しかしながら、かかる従来のペットボトル用掛け具にあっては、前記弾性係止片がボトル本体の側面から突出していたため、掛け具を使用しない場合には携帯者にはとって邪魔になるとともに複数のペットボトルを連続して隙間無く並べにくいため梱包ケースや自動販売機には対応しにくいという不都合を有した。
【０００５】
この発明の課題は、これらの不都合を解消することである。
【課題を解決するための手段】
【０００６】
上記課題を達成するために、発明者は鋭意研究した結果この発明を完成したものである。
【０００７】
この発明に係るペットボトル用掛け具においては、ペットボトル本体の側面に凹部を形成し、この凹部の底部又は縁部に弾性係止片を設け、この係止片は下方に向かって延びているとともに前記凹部内に収容されており、前記弾性係止片の根幹部に外側に突出した断面Ｕ字状の湾曲部を形成したペットボトル用掛け具において、前記断面Ｕ字状の湾曲部は前記弾性係止片の根元から離れた位置に形成されているものである。
【０００８】
【０００９】
これらの場合、前記弾性係止片を前記ペットボトル体に接着することもできる。
【００１０】
また、前記弾性係止片を前記ペットボトル本体に一体形成することもできる。
【発明の効果】
【００１１】
この発明に係るペットボトル用掛け具は上記のように構成されているため、即ち、ペットボトル本体の側面に凹部を形成し、この凹部の底部又は縁部に弾性係止片を設け、この係止片は下方に向かって延びているとともに前記凹部内に収容されており、前記弾性係止片の根幹部に外側に突出した断面Ｕ字状の湾曲部を形成したペットボトル用掛け具において、前記断面Ｕ字状の湾曲部は前記弾性係止片の根元から離れた位置に形成されているため、
前記弾性係止片がボトル本体は側面から突出することはなく、この結果、ボトル本体は当該係止片が存在しない通常の形状を維持することができるものである。
【００１２】
よって、このペットボトル用掛け具を使用すれば、携帯者にとって当該掛け具を使用しない場合にもこの掛け具が邪魔になることはなく又複数のペットボトルを連続して並べる場合通常のペットボトルと何ら変わりなく並べることができるため、係止片を有しているにも関わらず梱包ケースや自動販売機にも対応することができるものである。
【００１３】
なお、前記弾性係止片の根幹部に外側に突出した断面Ｕ字状の湾曲部を形成すれば、この弾性片の弾性を強化できるとともに変形を防止して耐久性を向上させることができる。 
【００１４】
これらの場合、前記弾性係止片を前記ペットボトル本体に接着すれば、簡易に製造することができる。
【００１５】
また、前記弾性係止片を前記ペットボトル本体に一体形成すれば、大量生産しやすいものである。
【発明を実施するための最良の形態】
【００１６】
ペットボトル本体の側面に凹部を形成する。この凹部の底部又は縁部に弾性係止片を設ける。この係止片は下方に向かって延びているとともに前記凹部内に収容されている。前記弾性係止片の根幹部に外側に突出した断面Ｕ字状の湾曲部を形成する。前記弾性係止片を前記ペットボトル本体に接着するか、又は、前記ペットボトル本体に一体形成する。
【実施例】
【００１７】
以下、この発明に係るペットボトル用掛け具を図面に基づいて説明する。
【００１８】
図１はこの発明に係るペットボトル用掛け具の斜視図、図２は図１における弾性係止片部分の断面図、図３は使用状態を示す図２に相当する図、図４は図２に相当する他の実施例の図である。
【００１９】
図１において、Ｐはペットボトルであり、10はそのペットボトル本体である。このペットボトル本体10は合成樹脂で成形された通常のものであり、飲み口11にはスクリューキャップ12が着脱可能に嵌められている。
【００２０】
図１〜図３において、20,20,…は凹部であり、前記ペットボトル本体の側面を凹成形することにより形成されている。これらの凹部20,20,…は平行の状態で上下方向（ペットボトルＰの）に延びている。
【００２１】
30は弾性係止片であり、前記凹部20の底部21において前記ペットボトル本体10と一体形成されている。この係止片30は前記凹部20内に収容された状態、前記凹部20から突出しない状態で下方に向かって延びている。
【００２２】
50は断面Ｕ字状の湾曲部であり、前記弾性係止片30の根幹部に形成されている。この湾曲部50は外側（ペットボトルＰの）方向に突出し、この弾性片30の弾性を強化するとともに弾性片30の変形を防止している。
【００２３】
60は先端湾曲部であり、前記弾性係止片30の先端に形成されている。この先端湾曲部60は外側に湾曲しており、ベルトＢ等に掛け止めする際に係止しやすいようになっている。
【００２４】
なお、前記弾性係止片30は前記ペットボトル本体10と一体成形する代わりに、前記ペットボトル本体10に溶着又は接着することもできる。
【００２５】
このように構成されるペットボトル用掛け具を使用する場合には、図３に示すように、前記弾性係止片30を弾性に抗して外側に開き、前記ペットボトル本体10との間に空間を設け、この空間にベルトＢ等を侵入させ、前記弾性係止片30を弾性によって元の状態に戻せばよい（図３の状態）。
【００２６】
また、この実施例では、前記弾性係止片30は前記凹部20の底部21に設置したが、図４に示すように、縁部22に設置することもできる。縁部22に設置すれば、より係止片30を長く使えて弾性範囲が広くなる効果を奏することができる。
【産業上の利用可能性】
【００２７】
この発明に係るペットボトル用掛け具は、携帯者にとって当該掛け具を使用しない場合にもこの掛け具が邪魔になることはない。また、複数のペットボトルを連続して並べる場合通常のペットボトルと何ら変わりなく並べることができるため、弾性係止片を有しているにも関わらず梱包ケースや自動販売機にも対応することができる。その利用価値は高いものである。
【図面の簡単な説明】
【００２８】
【図１】図１はこの発明に係るペットボトル用掛け具の斜視図である。
【図２】図２は図１における弾性係止片部分の断面図である。
【図３】図３は使用状態を示す図２に相当する図である。
【図４】図４は図２に相当する他の実施例の図である。
【符号の説明】
【００２９】
Ｐ … ペットボトル
10 … ペットボトル本体
11 … 飲み口
12 … スクリューキャップ
20 … 凹部
21 … 底部（凹部の）
22 … 縁部（凹部の）
30 … 弾性係止片
50 … 湾曲部
60 … 先端湾曲部
【図１】
0005241174.tif 000002
【図２】
0005241174.tif 000003
【図３】
0005241174.tif 000004
【図４】
0005241174.tif 000005